(57)【要約】【課題】表示画面の縁部とケーシング１１の縁部との間の隙間１８が狭い狭額縁の情報端末において、狭額縁の印象を損なうことなく、インカメラ用窓１１１とアンテナ収容部１６とを設置可能にする手段を提供する。【解決手段】本発明に係るＬＴＥ端末１０は、箱型のケーシング１１と、ケーシング１１の使用者側の表面１１ｅに設けられた液晶パネル１２と、ケーシング１１の下部側面１１ａを貫通して設けられたインカメラ用窓１１１と、ケーシング１１の内部に設けられてインカメラ用窓１１１を通して外部の画像を取得するインカメラ１３と、使用者側からの光を反射してインカメラ用窓１１１を通してインカメラ１３へ導くミラー１４と、を備えるものである。【選択図】図２
2013005312.tif 000002
【特許請求の範囲】
【請求項１】
箱型のケーシングと、
前記ケーシングの使用者側の表面に設けられた表示画面と、
前記ケーシングの側面を貫通して設けられたインカメラ用窓と、
前記ケーシングの内部に設けられて前記インカメラ用窓を通して外部の画像を取得する撮像手段と、
使用者側からの光を反射して前記インカメラ用窓を通して前記撮像手段へ導くミラーと、
を備えることを特徴とする情報端末。
【請求項２】
前記ミラーが、前記インカメラ用窓を開放または閉止するように、前記ケーシングの側面に開閉可能に設けられたことを特徴とする請求項１に記載の情報端末。
【請求項３】
前記ミラーの開閉を操作する操作部を備えることを特徴とする請求項２に記載の情報端末。
【請求項４】
前記ミラーの開放を検知した場合にテレビ電話ソフトを起動する制御部を備えることを特徴とする請求項１から３のいずれか１項に記載の情報端末。
【請求項５】
通信用のアンテナを収容するアンテナ収容部が、前記ケーシングから突出して設けられたことを特徴とする請求項１から４のいずれか１項に記載の情報端末。
【請求項６】
前記アンテナ収容部が、前記ミラーを包囲して設けられたことを特徴とする請求項５に記載の情報端末。
【請求項７】
前記アンテナが、ＬＴＥ通信規格に対応していることを特徴とする請求項５または６に記載の情報端末。
【発明の詳細な説明】
【技術分野】
【０００１】
本発明は、使用者側の画像を取得するインカメラ用窓と、アンテナを収容するアンテナ収容部とを有する情報端末に関するものである。
【背景技術】
【０００２】
従来、携帯電話等の情報端末としては、箱型のケーシングにおける使用者側の表面に表示画面が設けられ、使用者側の画像を取得するインカメラ用窓や、通信用のアンテナを収容するアンテナ収容部を有するものが知られている（例えば、特許文献１を参照）。
【０００３】
また、情報端末の外観デザインとしては、表示画面の縁部とケーシングの縁部との間の隙間が非常に狭い、いわゆる狭額縁のデザインが近年好まれる傾向にある。
【先行技術文献】
【特許文献】
【０００４】
【特許文献１】特開２００５−２２３６３４号公報
【発明の概要】
【発明が解決しようとする課題】
【０００５】
しかし、従来の情報端末では、ケーシングにおける使用者側の表面にインカメラ用窓が設けられる。従って、表示画面の縁部とケーシングの縁部との間に、インカメラ用窓を設置可能な広い隙間を確保する必要があり、狭額縁の印象が損なわれるという問題があった。
また、従来の情報端末では、アンテナが比較的大型の場合、表示画面の縁部とケーシングの縁部との間にアンテナ収容部を設けるための広い隙間を確保する必要があり、狭額縁の印象が損なわれるという問題もあった。
【０００６】
本発明は、このような事情を考慮してなされたものであり、その目的は、表示画面の縁部とケーシングの縁部との間の隙間が狭い狭額縁の情報端末において、狭額縁の印象を損なうことなく、インカメラ用窓とアンテナ収容部とを設置可能にする手段を提供することにある。
【課題を解決するための手段】
【０００７】
上記目的を達成するために、本発明は以下の手段を採用している。すなわち、本発明に係る情報端末は、箱型のケーシングと、前記ケーシングの使用者側の表面に設けられた表示画面と、前記ケーシングの側面を貫通して設けられたインカメラ用窓と、前記ケーシングの内部に設けられて前記インカメラ用窓を通して外部の画像を取得する撮像手段と、使用者側からの光を反射して前記インカメラ用窓を通して前記撮像手段へ導くミラーと、を備えることを特徴とする。
【発明の効果】
【０００８】
本発明に係る情報端末によれば、インカメラ用窓がケーシングの側面に設けられるため、表示画面の縁部とケーシングの縁部との間の隙間を狭くすることで狭額縁のデザインとすることができる。また、ミラーを介することにより、撮像手段で使用者側の画像を取得することができる。
【図面の簡単な説明】
【０００９】
【図１】本発明の実施形態に係るＬＴＥ端末についてインカメラの使用状態を示す概略斜視図である。
【図２】本発明の実施形態に係るＬＴＥ端末についてインカメラの不使用状態を示す概略斜視図である。
【発明を実施するための形態】
【００１０】
以下、図面を参照し、本発明の実施の形態について説明する。まず、本発明の実施形態に係るＬＴＥ端末（情報端末）の構成について説明する。図１は、本実施形態に係るＬＴＥ端末１０についてインカメラ１３の使用状態を示す概略斜視図である。また、図２は、本実施形態に係るＬＴＥ端末１０についてインカメラ１３の不使用状態を示す概略斜視図である。
【００１１】
ＬＴＥ端末１０は、図１及び図２に示すように、ケーシング１１と、液晶パネル１２（表示画面）と、インカメラ１３（撮像手段）と、ミラー１４と、操作部１５と、アンテナ収容部１６と、制御部１７と、を備えるものである。
【００１２】
ケーシング１１は、図１及び図２に示すように、箱型の外形を有している。そして、図２に示すように、使用者側から見てケーシング１１の下部側面１１ａを貫通して、略円形のインカメラ用窓１１１が形成されている。
尚、このインカメラ用窓１１１の形状は本実施形態に限定されず適宜設計変更が可能である。また、インカメラ用窓１１１が形成される位置は、下部側面１１ａに限られず、上部側面１１ｂや左側面１１ｃや右側面１１ｄであってもよい。
【００１３】
液晶パネル１２は、図１及び図２に示すように、平面視で略矩形の外形を有し、ケーシング１１における使用者側の表面１１ｅに設けられている。そして、この液晶パネル１２の縁部とケーシング１１の縁部との間の隙間１８は、その幅が狭く形成されている。このように、ＬＴＥ端末１０はいわゆる狭額縁にデザインされている。
尚、液晶パネル１２の外形や大きさは、ケーシング１１の形状や大きさに応じて適宜設計変更が可能である。また、本発明に係る表示画面は、情報を表示可能な画面であれば足り、本実施形態の液晶パネル１２には限定されない。
【００１４】
インカメラ１３は、図１及び図２に示すように、ケーシング１１の内部に収容され、インカメラ用窓１１１を通して外部の画像を取得可能な向きに設置されている。
【００１５】
ミラー１４は、図１及び図２に示すように、ケーシング１１の下部側面１１ａに開閉可能に設けられている。より詳細には、ミラー１４は、図１に示すようにインカメラ用窓１１１を覆う閉止位置Ｐｈと、図２に示すようにインカメラ用窓１１１を露呈させる開放位置Ｐｋとへ移動可能となっている。ここで、開放位置Ｐｋでは、図２に示すように、ケーシング１１の下部側面１１ａに対してミラー１４が略４５°の角度をなす状態となる。
【００１６】
操作部１５は、図１及び図２に示すように、使用者側から見てケーシング１１の左側面１１ｃに設けられている。この操作部１５は、長穴１５１、及びその内部に設けられた操作つまみ１５２を有している。そして、この操作つまみ１５２を長穴１５１の内部でスライドさせることにより、使用者がミラー１４の開閉を操作できるようになっている。
尚、操作部１５は、ミラー１４の開閉を切り替え可能であれば任意の構成とすることができる。
【００１７】
アンテナ収容部１６は、図１及び図２に示すように、ケーシング１１の下部側面１１ａに略平行して延びるようにして設けられ、その両端部はケーシング１１にそれぞれ接続されている。これにより、アンテナ収容部１６は、ケーシング１１の下部側面１１ａに設けられたミラー１４を包囲するようにして設けられている。そして、図に詳細は示さないが、アンテナ収容部１６の内部には、ＬＴＥ（Ｌｏｎｇ  Ｔｅｒｍ  Ｅｖｏｌｕｔｉｏｎ）規格で外部と通信を行うためのＬＴＥアンテナが収容されている。
尚、アンテナ収容部１６を設ける位置は本実施形態に限定されず、ケーシング１１の任意の位置とすることができる。
【００１８】
制御部１７は、図１及び図２に示すように、ケーシング１１に収容して設けられ、その内部に設けられた記憶領域には所定のテレビ電話ソフト１７１が格納されている。この制御部１７は、操作部１５及びミラー１４に対して電気的に接続され、操作部１５から入力される信号に基づいてミラー１４の開閉を制御する役割を果たす。また、制御部１７は、インカメラ１３の動作を制御する役割も果たす。
【００１９】
次に、本発明の実施形態に係るＬＴＥ端末１０の作用効果について説明する。
まず、インカメラ１３の不使用時には、図１に示すように、制御部１７による制御を受けて、ミラー１４は閉止位置Ｐｈに位置し、インカメラ用窓１１１を覆っている。この時、制御部１７は、テレビ電話ソフト１７１を停止させている。
【００２０】
一方、インカメラ１３の使用時には、使用者が操作つまみ１５２を長穴１５１の内部でスライドさせる。そうすると、それを検知した制御部１７がミラー１４の動作を制御することにより、図２に示すように開放位置Ｐｋへとミラー１４を移動させる。これにより、インカメラ用窓１１１が露呈した状態となり、使用者側からの光が、ケーシング１１の下部側面１１ａに対して略４５°の角度をなすミラー１４に反射されることにより、インカメラ用窓１１１を通してケーシング１１の内部へと導かれるようになる。
【００２１】
その後、制御部１７が、インカメラ１３の動作を制御することにより、使用者側の画像を取得する。また、制御部１７は、ミラー１４の開放に連動してテレビ電話ソフト１７１を起動する。これにより、使用者は、操作部１５によるワンタッチの操作のみによって、ミラー１４を開放させると同時に、テレビ電話での通話が可能となる。
【００２２】
ここで、インカメラ用窓１１１がケーシング１１の下部側面１１ａに設けられているため、インカメラ用窓１１１をケーシング１１の使用者側の表面１１ｅに設ける場合と比較すると、液晶パネル１２の縁部とケーシング１１の縁部との間の隙間１８を幅狭に形成することができる。これにより、ＬＴＥ端末１０について狭額縁の印象を損なうことなく、インカメラ用窓１１１を設けることができる。
【００２３】
また、ＬＴＥアンテナを収容するアンテナ収容部１６が、ケーシング１１とは別体として、ケーシング１１とは所定幅の空間１９を介して設けられている。従って、液晶パネル１２の縁部とケーシング１１の縁部との間にＬＴＥアンテナを収容する場合と比較すると、両者の間の隙間１８を幅狭に形成することができる。これにより、ＬＴＥ端末１０について狭額縁の印象を損なうことなく、ＬＴＥアンテナを設けることができる。
【００２４】
また、アンテナ収容部１６がミラー１４を包囲するように設けられているため、開放位置Ｐｋに位置するミラー１４がアンテナ収容部１６によって保護されるという利点もある。
【００２５】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００２６】
１０  ＬＴＥ端末
１１  ケーシング
１１１  インカメラ用窓
１１ａ  下部側面
１１ｂ  上部側面
１１ｃ  左側面
１１ｄ  右側面
１１ｅ  表面
１２  液晶パネル
１３  インカメラ
１４  ミラー
１５  操作部
１５１  長穴
１５２  操作つまみ
１６  アンテナ収容部
１７  制御部
１７１  テレビ電話ソフト
１８  隙間
１９  空間
Ｐｈ  閉止位置
Ｐｋ  開放位置
【図１】
2013005312.tif 000003
【図２】
2013005312.tif 000004